(57)【要約】【課題】長手方向を有する形状であっても、誤ってこぼしてしまった液体が滞留することを防止することができる充電台を提供する。【解決手段】充電台１００は、端末載置部１１０Ａ、１１０Ｂと、端末載置部１１０Ａ、１１０Ｂに設けられ、充電端子としてのコンタクトピン１２１Ａ、１２１Ｂが取り付けられた端子取付部１３０Ａ、１３０Ｂと、端子取付部１３０Ａ、１３０Ｂの左側に設けられた左側天面部１４０と、端子取付部１３０Ａ、１３０Ｂの右側に設けられた右側天面部１５０とを有している。端子取付部１３０Ａ、１３０Ｂは、取付部稜線１３１Ａ、１３１Ｂと、２つの取付部傾斜面１３２Ａ、１３２Ｂとを備えている。左側天面部１４０は、取付部稜線１３１Ａ、１３１Ｂの高さよりも低い高さで延在する左側天面部稜線１４１と、２つの左側天面部傾斜面１４２とを備えている。右側天面部１５０は、取付部稜線１３１Ａ、１３１Ｂの高さよりも低い高さで延在する右側天面部稜線１５１と、２つの右側天面部傾斜面１５２とを備えている。【選択図】図２
2017158346.tif 000002
【特許請求の範囲】
【請求項１】
長手方向である台幅方向および該台幅方向に直交する台奥行方向を有する充電台の上部に、前記台幅方向に沿って延在するように設けられ、携帯端末装置が取り出し可能に載置される端末載置部と、
前記端末載置部に設けられ、該端末載置部に載置された携帯端末装置の被充電端子に当接して携帯端末装置に充電を行う充電端子が取り付けられた端子取付部と、
前記端子取付部の前記台幅方向の左側に設けられた左側天面部と、
前記端子取付部の前記台幅方向の右側に設けられた右側天面部と、を有し、
前記端子取付部は、
前記台奥行方向に沿って延在する取付部稜線と、
前記取付部稜線から前記左側天面部および前記右側天面部のそれぞれまで下がりながら延在する２つの取付部傾斜面と、を備え、
前記左側天面部は、
前記台幅方向に沿って前記取付部稜線の高さよりも低い高さで延在する左側天面部稜線と、
前記左側天面部稜線から前記充電台の前記台奥行方向の前端および後端のそれぞれまで下がりながら延在する２つの左側天面部傾斜面と、を備え、
前記右側天面部は、
前記台幅方向に沿って前記取付部稜線の高さよりも低い高さで延在する右側天面部稜線と、
前記左側天面部稜線から前記充電台の前記台奥行方向の前端および後端のそれぞれまで下がりながら延在する２つの右側天面部傾斜面と、を備える充電台。
【請求項２】
前記取付部稜線の高さは、前記端子取付部に存在する平面の高さ以下である請求項１に記載の充電台。
【請求項３】
前記取付部稜線は、前記端子取付部の前記台幅方向の中心を通り、
前記２つの取付部傾斜面は、前記台幅方向の長さが互いに同じであり、かつ、水平面に対する傾斜角度が互いに同じである請求項１または２に記載の充電台。
【請求項４】
前記左側天面部稜線は、前記充電台の前記台奥行方向の中心を通り、
前記２つの左側天面部傾斜面は、水平面に対する傾斜角度が互いに同じであり、
前記右側天面部稜線は、前記充電台の前記台奥行方向の中心を通り、
前記２つの右側天面部傾斜面は、水平面に対する傾斜角度が互いに同じである請求項１乃至３のいずれか一項に記載の充電台。
【請求項５】
前記端子取付部の前記台奥行方向の前後に、前記台幅方向に沿って延在し、上方に突出するように設けられた端子保護部と、
前記左側天面部の前記台幅方向の左側に設けられ、前記端末載置部に載置される携帯端末装置の左端部をガイドする左側ガイド部と、
前記右側天面部の前記台幅方向の右側に設けられ、前記端末載置部に載置される携帯端末装置の右端部をガイドする右側ガイド部と、をさらに有し、
前記左側ガイド部は、
前記端末載置部に載置された携帯端末装置の左端部を取り囲むように上方に突出したコ字状壁部と、
前記コ字状壁部の内側にて前記左側天面部稜線の高さよりも高い高さの左側ガイド部基底面と、を備え、
前記右側ガイド部は、
前記端末載置部に載置された携帯端末装置の右端部を取り囲むように上方に突出したコ字状壁部と、
前記コ字状壁部の内側にて前記右側天面部稜線の高さよりも高い高さの右側ガイド部基底面と、を備える請求項１乃至４のいずれか一項に記載の充電台。
【請求項６】
前記左側ガイド部は、前記左側ガイド部基底面から前記左側天面部まで下がりながら延在する左側ガイド部傾斜面をさらに備え、
前記右側ガイド部は、前記右側ガイド部基底面から前記右側天面部まで下がりながら延在する右側ガイド部傾斜面をさらに備える請求項５に記載の充電台。
【請求項７】
それぞれ複数の前記端末載置部と、前記端子取付部と、を有する請求項１乃至４のいずれか一項に記載の充電台。
【請求項８】
それぞれ複数の前記端末載置部と、前記端子取付部と、前記端子保護部と、前記左側ガイド部と、前記右側ガイド部と、を有する請求項５または６に記載の充電台。
【請求項９】
前記左側天面部稜線の高さと前記右側天面部稜線の高さとは、同じである請求項１乃至８のいずれか一項に記載の充電台。
【請求項１０】
前記２つの取付部傾斜面はそれぞれ、水平面に対する傾斜角度が０．５度以上であり、
前記２つの左側天面部傾斜面ならびに前記２つの右側天面部傾斜面はそれぞれ、水平面に対する傾斜角度が３度以上である請求項１乃至９のいずれか一項に記載の充電台。
【発明の詳細な説明】
【技術分野】
【０００１】
本発明は、携帯端末装置用の充電台に関する。
【背景技術】
【０００２】
携帯端末装置は、内蔵するバッテリ（二次電池）を充電する必要がある。携帯端末装置のバッテリの充電は、充電台（クレードル）に載置して行われることがある。
【０００３】
この種の携帯端末装置の充電台の一例を、図１０（ａ）および（ｂ）ならびに図１３に示す。
【０００４】
図１０（ａ）および（ｂ）に示すように、関連技術としての携帯端末装置の充電台６００は、長手方向である台幅方向Ｗと、幅方向に直交する台奥行方向Ｄと、台幅方向Ｗおよび台奥行方向に直交する台高さ方向Ｈとを有している。充電台６００の上部には、２つの端末載置凹部６１０Ａ、６１０Ｂが設けられている。また、端末載置凹部６１０Ａ、６１０Ｂにはそれぞれ、充電端子としてのコンタクトピン６２１Ａ、６２１Ｂが設けられている。尚、充電台６００は、ＡＣ（Ａｌｔｅｒｎａｔｉｎｇ  Ｃｕｒｒｅｎｔ）ケーブルとＡＣプラグを介して商用電源に接続されるが、図１０（ａ）および（ｂ）においてはＡＣケーブルとＡＣプラグの図示を省略している。
【０００５】
一方、図１１および図１２（ａ）〜（ｃ）に示すように、充電台６００の充電対象である携帯端末装置７００は、前面にタッチパネル付きディスプレイ７０３を備え、底面に被充電端子（図示せず）を備え、内部にバッテリ（図示せず）を備えている。
【０００６】
充電台６００は、図１３に示すように、２箇所の端末載置凹部６１０Ａ、６１０Ｂに２台の携帯端末装置７００を載置して充電することができる。また、充電台６００に充電ケーブル８００を接続して、携帯端末装置７００に充電ケーブルのアタッチメントを取り付けて充電することが可能である。この場合は、充電台では１台の携帯端末装置７００のみ充電可能である。
【０００７】
ところで、この種の携帯端末装置の充電台は、ユーザが水等の液体を誤ってこぼしてしまうことがある。しかし、この充電台６００は、液体が滞留することを防止する液体滞留防止構造を有していない。そのため、壁部に囲まれた端末載置凹部に水等の液体を誤ってこぼしてしまうと、液体が端末載置凹部に滞留し、充電端子のショートが発生してしまうという虞がある。
【０００８】
これに対し、特許文献１には、携帯型電子機器の充電装置において、充電端子の周囲の底面に隣接した排水路を有する構造が開示されている。
【先行技術文献】
【特許文献】
【０００９】
【特許文献１】特開２００２−３５４６８８号公報
【発明の概要】
【発明が解決しようとする課題】
【００１０】
しかし、特許文献１に開示された技術では、充電器本体（８）のポケット（９，１０）の底面（９ａ，１０ａ）が奥行き方向にのみ傾斜を有するものであるので、上記の充電台６００のように長手方向を有する充電台に適用した場合、端末搭載凹部にこぼしてしまった液体の一部が排水路に流れ込まずに、端末搭載凹部に滞留してしまう恐れがある。このため、長手方向を有する形状であっても、誤ってこぼしてしまった液体が滞留することを防止することができる充電台が望まれている。
【００１１】
本願の目的は、上記課題を解決するための技術を提供することにあり、長手方向を有する形状であっても、誤ってこぼしてしまった液体が滞留することを防止することができる充電台を提供することである。
【課題を解決するための手段】
【００１２】
本発明の一実施態様によれば、長手方向である台幅方向および該台幅方向に直交する台奥行方向を有する充電台の上部に、前記台幅方向に沿って延在するように設けられ、携帯端末装置が取り出し可能に載置される端末載置部と、前記端末載置部に設けられ、該端末載置部に載置された携帯端末装置の被充電端子に当接して携帯端末装置に充電を行う充電端子が取り付けられた端子取付部と、前記端子取付部の前記台幅方向の左側に設けられた左側天面部と、前記端子取付部の前記台幅方向の右側に設けられた右側天面部と、を有し、前記端子取付部は、前記台奥行方向に沿って延在する取付部稜線と、前記取付部稜線から前記左側天面部および前記右側天面部のそれぞれまで下がりながら延在する２つの取付部傾斜面と、を備え、前記左側天面部は、前記台幅方向に沿って前記取付部稜線の高さよりも低い高さで延在する左側天面部稜線と、前記左側天面部稜線から前記台奥行方向の前端および後端のそれぞれまで下がりながら延在する２つの左側天面部傾斜面と、を備え、前記右側天面部は、前記台幅方向に沿って前記取付部稜線の高さよりも低い高さで延在する右側天面部稜線と、前記左側天面部稜線から前記充電台の前記台奥行方向の前端および後端のそれぞれまで下がりながら延在する２つの右側天面部傾斜面と、を備える充電台が得られる。
【発明の効果】
【００１３】
本発明による充電台は、長手方向を有する形状であっても、誤ってこぼしてしまった液体が滞留することを防止することができる。
【図面の簡単な説明】
【００１４】
【図１】本発明の実施形態による充電台の斜視図である。
【図２】（ａ）、（ｂ）および（ｃ）は、本発明の実施形態による充電台の正面図、側面図および上面図である。
【図３】本発明の実施形態による充電台に２台の携帯端末装置を載置した状態の斜視図である。
【図４】図２（ｃ）における切断線４−４に沿った断面図である。
【図５】（ａ）は図２（ｃ）における切断線５Ａ−５Ａに沿った断面図であり、（ｂ）は図５（ａ）の一部拡大図である。
【図６】（ａ）は図２（ｃ）における切断線６Ａ−６Ａに沿った断面図であり、（ｂ）は充電端子部のみの上面図の拡大図であり、（ｃ）は図６（ａ）の一部拡大図である。
【図７】充電端子部単体の斜視図である。
【図８】本発明の実施形態の変形例による充電台の上面図である。
【図９】本発明の実施形態の別の変形例による充電台の上面図である。
【図１０】（ａ）および（ｂ）は、関連技術における充電台の斜視図および上面図である。
【図１１】本発明の実施形態が適用される、充電台によって充電可能な携帯端末装置の斜視図である。
【図１２】（ａ）、（ｂ）および（ｃ）は、本発明の実施形態が適用される携帯端末装置の正面図、背面図および下面図である。
【図１３】２台の携帯端末装置が載置されると共に、充電ケーブルを介して１台の携帯端末装置が接続された関連技術における充電台を示す図である。
【発明を実施するための形態】
【００１５】
本発明の実施形態による携帯端末装置の充電台は、端末載置部と、端子取付部と、左側天面部と、右側天面部とを有している。
【００１６】
端末載置部は、長手方向である台幅方向および台幅方向に直交する台奥行方向を有する充電台の上部に、台幅方向に沿って延在するように設けられ、携帯端末装置が取り出し可能に載置される。端子取付部は、端末載置部に設けられ、端子取付部に取り付けられている充電端子は、端末載置部に載置された携帯端末装置の被充電端子に当接（接触）して携帯端末装置に充電を行う。
【００１７】
左側天面部は、端子取付部の台幅方向の左側に設けられている。右側天面部は、端子取付部の台幅方向の右側に設けられている。
【００１８】
端子取付部は、取付部稜線と、２つの取付部傾斜面とを備えている。取付部稜線は、台奥行方向に沿って、端子取付部に存在する平面の高さよりも低い高さで延在している。２つの取付部傾斜面は、取付部稜線から左側天面部および右側天面部のそれぞれまで下がりながら延在している。
【００１９】
左側天面部は、左側天面部稜線と、２つの左側天面部傾斜面とを備えている。
【００２０】
左側天面部稜線は、台幅方向に沿って取付部稜線の高さよりも低い高さで延在している。２つの左側天面部傾斜面は、左側天面部稜線から台奥行方向の前端および後端のそれぞれまで下がりながら延在している。
【００２１】
右側天面部は、右側天面部稜線と、２つの右側天面部傾斜面とを備えている。
【００２２】
右側天面部稜線は、台幅方向に沿って取付部稜線の高さよりも低い高さで延在している。２つの右側天面部傾斜面は、左側天面部稜線から充電台の台奥行方向の前端および後端のそれぞれまで下がりながら延在している。
【００２３】
即ち、本発明による携帯端末装置の充電台は、端末載置部のうちの特に液体の滞留を避けたい充電端子の周囲に、稜線と、この稜線を起端として互いに反対の向きにそれぞれ下がりながら延在する対の傾斜面とから成る第１段の排水構造（端子取付部）を設けると共に、充電台（端末載置部）の長手方向を分割するように第１段の排水構造に隣接し、第１段の排水構造よりも高さが低く、第１段の排水構造の稜線と交差する方向に延在する稜線と、この稜線を起端として互いに反対の向きにそれぞれ下がりながら延在する対の傾斜面とから成る第２段の排水構造（左側天面部、右側天面部）を設けた構成である。つまり、本発明による充電台は、充電端子の周囲をも含め、端末載置部にこぼれた液体を、第１段の排水構造の稜線によって分断し、かつ、対の傾斜面によって分岐するように第２段の排水構造に向けて流し、分断かつ分岐するように流された液体それぞれを、充電台の長手方向を分割するように設けられた第２段の排水構造の稜線によってさらに分断し、かつ、対の傾斜面によって分岐するように充電台の外部に排出する。したがって、本発明による充電台は、長手方向に延在する端末載置部を有しているにも拘わらず、端末載置部にこぼれた液体を、二段階に亘ってそれぞれの段階で分断かつ分岐するように排水するため、長手方向に延在する端末載置部におけるいずれかの箇所に液体が滞留してしまうことがない。
【００２４】
上記の構成により、本発明による充電台は、長手方向を有する形状であっても、誤ってこぼしてしまった液体が滞留することを防止することができる。その結果、端末載置部内に水等の液体が滞留して充電端子がショートしてしまうことがない。
【００２５】
以下、図面を参照して、本発明による携帯端末装置の充電台のより具体的な実施形態を説明する。
【００２６】
尚、以下で参照する、断面図である図４、図５（ａ）および図６（ａ）においては、充電台１００の筐体に関するもののみを図示し、筐体内に内蔵されているＡＣアダプタ、充電端子を除く電気部品、ケーブル等は図示していない。
【００２７】
本発明の実施形態による携帯端末装置の充電台は、ＰＯＳ（Ｐｏｉｎｔ  Ｏｆ  Ｓａｌｅｓ）システムの一態様であるセルフオーダリングシステムに用いられるタブレットタイプの携帯端末装置に充電を行うものである。
【００２８】
図１〜図７を参照すると、本発明の実施形態による携帯端末装置の充電台１００は、２つの端末載置部１１０Ａ、１１０Ｂと、充電端子としてのコンタクトピン１２１Ａ、１２１Ｂと、端子取付部１３０Ａ、１３０Ｂと、端子保護部１３５Ａ、１３５Ｂ、１３５Ｃと、左側天面部１４０と、右側天面部１５０と、左側ガイド部１６０Ａ、１６０Ｂと、右側ガイド部１７０Ａ、１７０Ｂとを有している。
【００２９】
尚、充電台１００は、ＡＣケーブルとＡＣプラグを介して商用電源に接続されるが、図１、図２（ａ）〜（ｃ）ならびに図３においてはＡＣケーブルとＡＣプラグの図示を省略している。
【００３０】
端末載置部１１０Ａ、１１０Ｂは、長手方向である台幅方向Ｗ（左方向Ｗｌ、右方向Ｗｒを含む）、台幅方向Ｗに直交する台奥行方向Ｄ（前方向Ｄｆ、後ろ方向Ｄｒを含む）ならびに台幅方向Ｗおよび台奥行方向Ｄに直交する高さ方向Ｈ（下方向Ｈｌ、上方向Ｈｕを含む）を有する充電台の上部に、台幅方向Ｗに沿って延在するように設けられ、図３に示すように携帯端末装置７００が取り出し可能に載置される。
【００３１】
充電端子としてのコンタクトピン１２１Ａ、１２１Ｂは、端末載置部１１０Ａ、１１０Ｂに設けられた端子取付部１３０Ａ、１３０Ｂに取り付けられており、端末載置部１１０Ａ、１１０Ｂに載置された携帯端末装置７００の後述する被充電端子に当接して携帯端末装置７００に充電を行う。
【００３２】
端子保護部１３５Ａ、１３５Ｂ、１３５Ｃは、端子取付部１３０Ａ、１３０Ｂの台奥行方向Ｄの前後に、台幅方向Ｗに沿って延在し、上方に突出するように設けられ、コンタクトピン１２１Ａ、１２１Ｂを保護する。端子保護部１３５Ｂは、端子取付部１３０Ａ用と端子取付部１３０Ｂ用として兼用するものであり、端子取付部１３０Ａと端子取付部１３０Ｂとの間に設けられている。端子保護部１３５Ａ、１３５Ｂ、１３５Ｃは、充電台１００に携帯端末装置７００が載置されていないとき、充電端子に何らかの物体が横から当たって破損したりすることがないように保護する。
【００３３】
左側天面部１４０は、端子取付部１３０Ａ、１３０Ｂの台幅方向Ｗの左側に設けられている。右側天面部１５０は、端子取付部１３０Ａ、１３０Ｂの台幅方向Ｗの右側に設けられている。
【００３４】
端子取付部１３０Ａ、１３０Ｂは、取付部稜線１３１Ａ、１３１Ｂと、２つの取付部傾斜面１３２Ａ、１３２Ｂとを備えている。
【００３５】
取付部稜線１３１Ａ、１３１Ｂは、台奥行方向Ｄに沿って、端子取付部１３０Ａ、１３０Ｂに存在する平面の高さよりも低い高さで延在している。端子取付部１３０Ａ、１３０Ｂに存在する平面については、後述する。２つの取付部傾斜面１３２Ａ、１３２Ｂは、図５（ｂ）に示すように、取付部稜線１３１Ａ、１３１Ｂから左側天面部１４０および右側天面部１５０のそれぞれまで下がりながら延在している。
【００３６】
左側天面部１４０は、左側天面部稜線１４１と、２つの左側天面部傾斜面１４２とを備えている。
【００３７】
左側天面部稜線１４１は、図５（ａ）に示すように、台幅方向Ｗに沿って取付部稜線１３１Ａ、１３１Ｂの高さよりも低い高さで延在している。２つの左側天面部傾斜面１４２は、図４に示すように、左側天面部稜線１４１から充電台の台奥行方向Ｄの前端１００ｄｆおよび後端１００ｄｒのそれぞれまで下がりながら延在している。
【００３８】
右側天面部１５０は、右側天面部稜線１５１と、２つの右側天面部傾斜面１５２とを備えている。
【００３９】
右側天面部稜線１５１は、図５（ａ）に示すように、台幅方向Ｗに沿って取付部稜線１３１Ａ、１３１Ｂの高さよりも低い高さで延在している。２つの右側天面部傾斜面１５２は、図４に示した２つの左側天面部傾斜面１４２と同様に、左側天面部稜線１５１から充電台の台奥行方向Ｄの前端１００ｄｆおよび後端１００ｄｒのそれぞれまで下がりながら延在している。
【００４０】
左側ガイド部１６０Ａ、１６０Ｂは、左側天面部１４０の台幅方向Ｗの左側に設けられ、端末載置部１１０Ａ、１１０Ｂに載置される携帯端末装置７００の左端部をガイドする。右側ガイド部１７０Ａ、１７０Ｂは、右側天面部１５０の台幅方向Ｗの右側に設けられ、端末載置部１１０Ａ、１１０Ｂに載置される携帯端末装置７００の右端部をガイドする。
【００４１】
左側ガイド部１６０Ａ、１６０Ｂは、コ字状壁部１６６Ａ、１６６Ｂと、左側ガイド部基底面１６１Ａ、１６１Ｂと、左側ガイド部傾斜面１６２Ａ、１６２Ｂとを備えている。
【００４２】
コ字状壁部１６６Ａ、１６６Ｂは、端末載置部１１０Ａ、１１０Ｂに載置された携帯端末装置７００の左端部を取り囲むように上方に突出している。左側ガイド部基底面１６１Ａ、１６１Ｂは、コ字状壁部１６６Ａ、１６６Ｂの内側にて左側天面部稜線１４１の高さよりも高い高さである。左側ガイド部傾斜面１６２Ａ、１６２Ｂは、左側ガイド部基底面１６１Ａ、１６１Ｂから左側天面部１４０まで下がりながら延在している。
【００４３】
右側ガイド部１７０Ａ、１７０Ｂは、コ字状壁部１７６Ａ、１７６Ｂと、右側ガイド部基底面１７１Ａ、１７１Ｂと、右側ガイド部傾斜面１７２Ａ、１７２Ｂとを備えている。
【００４４】
コ字状壁部１７６Ａ、１７６Ｂは、端末載置部１１０Ａ、１１０Ｂに載置された携帯端末装置７００の右端部を取り囲むように上方に突出している。右側ガイド部基底面１７１Ａ、１７１Ｂは、コ字状壁部１７６Ａ、１７６Ｂの内側にて右側天面部稜線１５１の高さよりも高い高さである。右側ガイド部傾斜面１７２Ａ、１７２Ｂは、右側ガイド部基底面１７１Ａ、１７１Ｂから右側天面部１５０まで下がりながら延在している。
【００４５】
以上の構成により、本充電台１００は、充電端子およびその周囲をも含め、端末載置部１１０Ａ、１１０Ｂに水等の液体が誤ってこぼされたとしても、液体は、高さが低い部位に向かって順次流れ、最終的に、左側天面部１４０の左側天面部傾斜面１４２上や右側天面部１５０の右側天面部傾斜面１５２上を伝って充電台１００の前端１００ｄｆや後端１００ｄｒから充電台の外に排出される。
【００４６】
尚、本充電台１００の対象物である携帯端末装置７００は、図１１ならびに図１２（ａ）〜（ｃ）に示すように、フロントパネル７０１およびリアパネル７０２から成る筐体と、筐体の前面に設けられたタッチパネル付きディスプレイ７０３と、筐体の底面にそれぞれ設けられた４つの被充電端子７０６（１２Ｖ、ＤＥＴＥＣＴ１、ＤＥＴＥＣＴ２、ＧＮＤ）ならびに４つの端子隣接凹部７０７とを備え、搭載するバッテリを電源として動作する携帯端末装置である。
【００４７】
以下、本実施形態による携帯端末装置の充電台１００をさらに詳しく説明する。
【００４８】
本充電台１００は、２箇所の端末載置部１１０Ａ、１１０Ｂを有し、図３に示すように、２台の携帯端末装置７００を載置して充電することが可能である。充電台１００も、図１０に示した関連技術による充電台６００と同様に、充電台に設けられたレセプタクルコネクタに充電ケーブルを接続する一方、携帯端末装置７００に充電ケーブルのアタッチメントを取り付けることにより、端末載置部に載置せずとも、携帯端末装置の充電を行うことが可能である。ただし、本発明には関連しないので、これ以上の説明と図示は省略する。尚、充電台に充電ケーブル接続用のレセプタクルコネクタを設けずに、充電ケーブルを用いた充電は行えないようにしてもよい。
【００４９】
本実施形態において、それぞれ２つの取付部傾斜面１３２Ａ、１３２Ｂは、水平面に対する傾斜角度が０．５度以上である。また、２つの左側天面部傾斜面１４２ならびに２つの右側天面部傾斜面１５２はそれぞれ、水平面に対する傾斜角度が３度以上である。さらに、取付部稜線１３１Ａ、１３１Ｂは、端子取付部１３０Ａ、１３０Ｂの台幅方向Ｗの中心を通り、同じ高さであり、２つの取付部傾斜面１３２Ａ、１３２Ｂは、台幅方向Ｗの長さが互いに同じであり、かつ、水平面に対する傾斜角度が互いに同じである。また、左側天面部稜線１４１の高さと右側天面部稜線１５１の高さとは、同じである。
【００５０】
さらに、本実施形態において、充電台１００は、充電端子としての４本のコンタクトピン１２１Ａ、１２１Ｂを、充電端子部の形態で有している。即ち、図７に示すように、充電端子部１２０Ａ、１２０Ｂは、４本のコンタクトピン１２１Ａ、１２１Ｂと、ハウジング１２２Ａ、１２２Ｂと、４つのガイド凸部１２４Ａ、１２４Ｂとを有している。
【００５１】
４本のコンタクトピン１２１Ａ、１２１Ｂは、携帯端末装置７００の４つの被充電端子７０６（図１２（ｃ））に対応したピン配列（１２Ｖ、ＤＥＴＥＣＴ１、ＤＥＴＥＣＴ２、ＧＮＤ）を有し、それぞれバネで伸縮するプローブピンタイプである。ハウジング１２２Ａ、１２２Ｂは、コンタクトピン１２１Ａ、１２１Ｂを保持するものである。４つのガイド凸部１２４Ａ、１２４Ｂは、携帯端末装置７００の４つの端子隣接凹部７０７（図１２（ｃ））に対応してハウジング１２２Ａ、１２２Ｂに設けられている。
【００５２】
尚、ハウジング１２２Ａ、１２２Ｂは、端子部天面１２３Ａ、１２３Ｂと、２つのネジ止め用の孔と、２つの位置決め用の孔とを備えている。端子部天面１２３Ａ、１２３Ｂが、前述した端子取付部１３０Ａ、１３０Ｂに存在する平面である。図６（ｃ）に示すように、充電端子部１２０Ａは、充電台１００の筐体の内側面上にネジを用いて取り付けられる。尚、充電端子部１２０Ｂも同様に、充電台１００の筐体の内側面上にネジ止めされる。
【００５３】
また、４本のコンタクトピン１２１Ａは、上面図である図６（ｂ）において、同心円状に描かれていないことから分かるように、充電端子部１２０Ａにおいて、後方に向かって傾くように設けられている。尚、充電端子部１２０Ｂにおいても同様に、４本のコンタクトピン１２１Ｂは後方に向かって傾くように設けられている。
【００５４】
また、４本のコンタクトピン１２１Ａ、１２１Ｂのうち、１２ＶピンおよびＧＮＤピンは、充電電圧を供給するために用いられ、ＤＥＴＥＣＴ１ピンおよびＤＥＴＥＣＴ２ピン（さらにＧＮＤピンも含む場合もある）は、携帯端末装置が載置されたことを検出するために用いられる。
【００５５】
充電端子部１２０Ａ、１２０Ｂのうち、充電台１００上に露出している部分の周囲と、端子取付部１３０Ａ、１３０Ｂの裏面との間を通って水等の液体が充電台１００の内部に侵入しないように、端子取付部１３０Ａ、１３０Ｂと充電端子部１２０Ａ、１２０Ｂとの間は、両面テープやパッキン部材等を用いた水密構造になっている。
【００５６】
充電端子部１２０Ａの端子部天面１２３Ａは、図６（ｃ）に示すように、取付部傾斜面１３２Ａよりも高さが高い。さらに、図６（ｃ）では明らかではないものの、充電端子部１２０Ａの端子部天面１２３Ａは、取付部稜線１３１Ａよりも高さが高い。同様に、充電端子部１２０Ｂの端子部天面１２３Ｂも、取付部傾斜面１３２Ｂならびに取付部稜線１３１Ｂよりも高さが高い。したがって、充電端子部１２０Ａ、１２０Ｂ上に落下した水等の液体は、取付部傾斜面１３２Ａ、１３２Ｂ上に流れ落ち、取付部傾斜面１３２Ａ、１３２Ｂに沿って左側天面部１４０や右側天面部１５０に流れ落ち、左側天面部１４０や右側天面部１５０に沿って流れて充電台１００の外に排出される。
【００５７】
尚、充電端子部１２０Ａ、１２０Ｂの端子部天面１２３Ａ、１２３Ｂは、取付部稜線１３１Ａ、１３１Ｂと同じ高さとなるように構成してもよい。即ち、取付部稜線１３１Ａ、１３１Ｂの高さは、端子取付部１３０Ａ、１３０Ｂに存在する平面である端子部天面１２３Ａ、１２３Ｂの高さ以下であればよい。あるいは、充電端子部１２０Ａ、１２０Ｂの端子部天面１２３Ａ、１２３Ｂを、台奥行方向Ｄにおける充電端子部１２０Ａ、１２０Ｂの中心線上に稜線を有する形状となるように構成し、端子部天面１２３Ａ、１２３Ｂ上にこぼれた水等の液体が取付部傾斜面１３２Ａ、１３２Ｂ上に流れ落ちるようにしてもよい。もしくは、端子部天面１２３Ａ、１２３Ｂが、４つのガイド凸部を除いて、取付部稜線１３１Ａ、１３１Ｂと一直線をなすような稜線と、取付部傾斜面１３２Ａ、１３２Ｂと段差なく連続した面をなすような傾斜面とを備えた形状にしてもよい。さらに、充電端子部１２０Ａ、１２０Ｂを別部品とせず、取付部傾斜面１３２Ａ、１３２Ｂに、充電端子としての４本のコンタクトピンならびに４つのガイド凸部とを直接設けた構造としてもよい。
【００５８】
左側ガイド部傾斜面１６２Ａ、１６２Ｂならびに右側ガイド部傾斜面１７２Ａ、１７２Ｂは、主に、携帯端末装置７００の載置を容易にするために設けられている。ユーザは、携帯端末装置７００を充電するために、次のように操作すればよい。即ち、ユーザは、携帯端末装置７００を手で把持して斜めに支持し、携帯端末装置７００の左下角部を左側天面部１４０に当接させるか接近させる。続いて、ユーザは、携帯端末装置７００を左側ガイド部１６０Ａ、１６０Ｂの方向にずらし、さらに、左側ガイド部傾斜面１６２Ａ、１６２Ｂに沿って左側ガイド部基底面１６１Ａ、１６１Ｂに乗り上げさせる。この後、ユーザは、携帯端末装置７００の右下角部を下げ、携帯端末装置７００を充電台１００に載置する。あるいは、ユーザは、携帯端末装置７００を手で把持して斜めに支持し、携帯端末装置７００の右下角部を右側天面部１５０に当接させるか接近させる。続いて、ユーザは、携帯端末装置７００を右側ガイド部１７０Ａ、１７０Ｂの方向にずらし、さらに、右側ガイド部傾斜面１７２Ａ、１７２Ｂに沿って右側ガイド部基底面１７１Ａ、１７１Ｂに乗り上げさせる。この後、ユーザは、携帯端末装置７００の左下角部を下げ、携帯端末装置７００を充電台１００に載置する。尚、左側ガイド部傾斜面１６２Ａ、１６２Ｂならびに右側ガイド部傾斜面１７２Ａ、１７２Ｂは、コ字状壁部１６６Ａ、１６６Ｂ内やコ字状壁部１７６Ａ、１７６Ｂ内にこぼれた水等の液体を左側天面部１４０や右側天面部１５０に流し落とす作用も奏する。また、携帯端末装置７００を端末載置部の上方向からのみ充電台１００に載置するのであれば、左側ガイド部傾斜面、右側ガイド部傾斜面を必ずしも設ける必要はない。
【００５９】
［変形例１］
本発明の実施形態の変形例１による携帯端末装置の充電台は、上記の実施形態と端末載置部の数が異なる。このため、実施形態と同一部または同様部については、実施形態の図面や説明を援用し、図示や詳細な説明を省略する。
【００６０】
図８を参照すると、本発明の実施形態の変形例１による充電台１００’は、１つの端末載置部１１０Ａと、充電端子としてのコンタクトピン１２１Ａが取り付けられた端子取付部１３０Ａと、端子保護部１３５Ａ、１３５Ｂと、左側天面部１４０と、右側天面部１５０と、左側ガイド部１６０Ａと、右側ガイド部１７０Ａとを有している。
【００６１】
端末載置部１１０Ａは、長手方向である台幅方向Ｗおよび台幅方向Ｗに直交する台奥行方向Ｄを有する充電台の上部に、台幅方向Ｗに沿って延在するように設けられ、携帯端末装置が取り出し可能に載置される。
【００６２】
充電端子としてのコンタクトピン１２１Ａは、端末載置部１１０Ａに設けられた端子取付部１３０Ａに取り付けられており、端末載置部１１０Ａに載置された携帯端末装置の被充電端子に当接して携帯端末装置に充電を行う。
【００６３】
端子保護部１３５Ａ、１３５Ｂは、端子取付部１３０Ａ、１３０Ｂの台奥行方向Ｄの前後に、台幅方向Ｗに沿って延在し、上方に突出するように設けられ、コンタクトピン１２１Ａを保護する。端子保護部１３５Ａ、１３５Ｂは、充電台１００に携帯端末装置が載置されていないとき、充電端子に何らかの物体が横から当たって破損したりすることがないように保護する。
【００６４】
左側天面部１４０は、端子取付部１３０Ａの台幅方向Ｗの左側に設けられている。右側天面部１５０は、端子取付部１３０Ａの台幅方向Ｗの右側に設けられている。
【００６５】
端子取付部１３０Ａは、取付部稜線１３１Ａと、２つの取付部傾斜面１３２Ａとを備えている。
【００６６】
取付部稜線１３１Ａは、台奥行方向Ｄに沿って、端子取付部１３０Ａに存在する平面の高さよりも低い高さで延在している。端子取付部１３０Ａに存在する平面とは、コンタクトピン１２１Ａが設けられた充電端子部１２０Ａの端子部天面１２３Ａである。充電端子部１２０Ａの端子部天面１２３Ａは、取付部稜線１３１Ａと同じ高さとなるように構成してもよい。２つの取付部傾斜面１３２Ａは、取付部稜線１３１Ａから左側天面部１４０および右側天面部１５０のそれぞれまで下がりながら延在している。
【００６７】
左側天面部１４０は、左側天面部稜線１４１と、２つの左側天面部傾斜面１４２とを備えている。
【００６８】
左側天面部稜線１４１は、台幅方向Ｗに沿って取付部稜線１３１Ａの高さよりも低い高さで延在している。２つの左側天面部傾斜面１４２は、左側天面部稜線１４１から充電台の台奥行方向Ｄの前端１００ｄｆ’および後端１００ｄｒ’のそれぞれまで下がりながら延在している。
【００６９】
右側天面部１５０は、右側天面部稜線１５１と、２つの右側天面部傾斜面１５２とを備えている。
【００７０】
右側天面部稜線１５１は、台幅方向Ｗに沿って取付部稜線１３１Ａの高さよりも低い高さで延在している。２つの右側天面部傾斜面１５２は、左側天面部稜線１５１から充電台の台奥行方向Ｄの前端１００ｄｆ’および後端１００ｄｒ’のそれぞれまで下がりながら延在している。
【００７１】
左側ガイド部１６０Ａは、左側天面部１４０の台幅方向Ｗの左側に設けられ、端末載置部１１０Ａに載置される携帯端末装置の左端部をガイドする。右側ガイド部１７０Ａは、右側天面部１５０の台幅方向Ｗの右側に設けられ、端末載置部１１０Ａに載置される携帯端末装置の右端部をガイドする。
【００７２】
左側ガイド部１６０Ａは、コ字状壁部１６６Ａと、左側ガイド部基底面１６１Ａと、左側ガイド部傾斜面１６２とを備えている。
【００７３】
コ字状壁部１６６Ａは、端末載置部１１０Ａに載置された携帯端末装置の左端部を取り囲むように上方に突出している。左側ガイド部基底面１６１Ａは、コ字状壁部１６６Ａの内側にて左側天面部稜線１４１の高さよりも高い高さである。左側ガイド部傾斜面１６２Ａは、左側ガイド部基底面１６１Ａから左側天面部１４０まで下がりながら延在している。
【００７４】
右側ガイド部１７０Ａは、コ字状壁部１７６Ａと、右側ガイド部基底面１７１Ａと、右側ガイド部傾斜面１７２Ａとを備えている。
【００７５】
コ字状壁部１７６Ａは、端末載置部１１０Ａに載置された携帯端末装置の右端部を取り囲むように上方に突出している。右側ガイド部基底面１７１Ａは、コ字状壁部１７６Ａの内側にて右側天面部稜線１５１の高さよりも高い高さである。右側ガイド部傾斜面１７２Ａは、右側ガイド部基底面１７１Ａから右側天面部１５０まで下がりながら延在している。
【００７６】
以上の構成により、本充電台１００’は、充電端子およびその周囲をも含め、端末載置部１１０Ａに水等の液体が誤ってこぼされたとしても、液体は、高さが低い部位に向かって順次流れ、最終的に、左側天面部１４０の左側天面部傾斜面１４２上や右側天面部１５０の右側天面部傾斜面１５２上を伝って充電台１００’の前端１００ｄｆ’や後端１００ｄｒ’から充電台の外に排出される。
【００７７】
［変形例２］
本発明の実施形態の変形例２による携帯端末装置の充電台も、前述した実施形態と端末載置部の数が異なる。このため、実施形態と同一部または同様部については、実施形態の図面や説明を援用し、図示や詳細な説明を省略する。
【００７８】
図９を参照すると、本発明の実施形態の変形例２による充電台１００”は、３つの端末載置部１１０Ａ、１１０Ｂ、１１０Ｃと、充電端子としてのコンタクトピン１２１Ａ、１２１Ｂ、１２１Ｃが取り付けられた端子取付部１３０Ａ、１３０Ｂ、１３０Ｃと、端子保護部１３５Ａ、１３５Ｂ、１３５Ｃ、１３５Ｄと、左側天面部１４０と、右側天面部１５０と、左側ガイド部１６０Ａ、１６０Ｂ、１６０Ｃと、右側ガイド部１７０Ａ、１７０Ｂ、１７０Ｃとを有している。
【００７９】
端末載置部１１０Ａ、１１０Ｂ、１１０Ｃは、長手方向である台幅方向Ｗおよび台幅方向Ｗに直交する台奥行方向Ｄを有する充電台の上部に、台幅方向Ｗに沿って延在するように設けられた端子取付部１３０Ａ、１３０Ｂ、１３０Ｃに取り付けられており、携帯端末装置が取り出し可能に載置される。
【００８０】
充電端子としてのコンタクトピン１２１Ａ、１２１Ｂ、１２１Ｃは、端末載置部１１０Ａ、１１０Ｂ、１１０Ｃに設けられ、端末載置部１１０Ａ、１１０Ｂ、１１０Ｃに載置された携帯端末装置の被充電端子に当接して携帯端末装置に充電を行う。
【００８１】
端子保護部１３５Ａ、１３５Ｂ、１３５Ｃ、１３５Ｄは、端子取付部１３０Ａ、１３０Ｂ、１３０Ｃの台奥行方向Ｄの前後に、台幅方向Ｗに沿って延在し、上方に突出するように設けられ、コンタクトピン１２１Ａ、１２１Ｂ、１２１Ｃを保護する。端子保護部１３５Ｂは、端子取付部１３０Ａ用と端子取付部１３０Ｂ用として兼用するものであり、端子取付部１３０Ａと端子取付部１３０Ｂとの間に設けられている。端子保護部１３５Ｃは、端子取付部１３０Ｂ用と端子取付部１３０Ｃ用として兼用するものであり、端子取付部１３０Ｂと端子取付部１３０Ｃとの間に設けられている。
【００８２】
左側天面部１４０は、端子取付部１３０Ａ、１３０Ｂ、１３０Ｃの台幅方向Ｗの左側に設けられている。右側天面部１５０は、端子取付部１３０Ａ、１３０Ｂ、１３０Ｃの台幅方向Ｗの右側に設けられている。
【００８３】
端子取付部１３０Ａ、１３０Ｂ、１３０Ｃは、取付部稜線１３１Ａ、１３１Ｂ、１３１Ｃと、２つの取付部傾斜面１３２Ａ、１３２Ｂ、１３２Ｃとを備えている。
【００８４】
取付部稜線１３１Ａ、１３１Ｂ、１３１Ｃは、台奥行方向Ｄに沿って、端子取付部１３０Ａ、１３０Ｂ、１３０Ｃに存在する平面の高さよりも低い高さで延在している。端子取付部１３０Ａ、１３０Ｂ、１３０Ｃに存在する平面とは、コンタクトピン１２１Ａ、１２１Ｂ、１２１Ｃが設けられた充電端子部１２０Ａ、１２０Ｂ、１２０Ｃの端子部天面１２３Ａ、１２３Ｂ、１２３Ｃである。充電端子部１２０Ａ、１２０Ｂ、１２０Ｃの端子部天面１２３Ａ、１２３Ｂ、１２３Ｃは、取付部稜線１３１Ａ、１３１Ｂ、１３１Ｃと同じ高さとなるように構成してもよい。２つの取付部傾斜面１３２Ａ、１３２Ｂ、１３２Ｃは、取付部稜線１３１Ａ、１３１Ｂ、１３１Ｃから左側天面部１４０および右側天面部１５０のそれぞれまで下がりながら延在している。
【００８５】
左側天面部１４０は、左側天面部稜線１４１と、２つの左側天面部傾斜面１４２とを備えている。
【００８６】
左側天面部稜線１４１は、台幅方向Ｗに沿って取付部稜線１３１Ａ、１３１Ｂ、１３１Ｃの高さよりも低い高さで延在している。２つの左側天面部傾斜面１４２は、左側天面部稜線１４１から充電台の台奥行方向Ｄの前端１００ｄｆ”および後端１００ｄｒ”のそれぞれまで下がりながら延在している。
【００８７】
右側天面部１５０は、右側天面部稜線１５１と、２つの右側天面部傾斜面１５２とを備えている。
【００８８】
右側天面部稜線１５１は、台幅方向Ｗに沿って取付部稜線１３１Ａ、１３１Ｂ、１３１Ｃの高さよりも低い高さで延在している。２つの右側天面部傾斜面１５２は、左側天面部稜線１５１から充電台の台奥行方向Ｄの前端１００ｄｆ”および後端１００ｄｒ”のそれぞれまで下がりながら延在している。
【００８９】
左側ガイド部１６０Ａ、１６０Ｂ、１６０Ｃは、左側天面部１４０の台幅方向Ｗの左側に設けられ、端末載置部１１０Ａ、１１０Ｂ、１１０Ｃに載置される携帯端末装置の左端部をガイドする。右側ガイド部１７０Ａ、１７０Ｂ、１７０Ｃは、右側天面部１５０の台幅方向Ｗの右側に設けられ、端末載置部１１０Ａ、１１０Ｂ、１１０Ｃに載置される携帯端末装置の右端部をガイドする。
【００９０】
左側ガイド部１６０Ａ、１６０Ｂ、１６０Ｃは、コ字状壁部１６６Ａ、１６６Ｂ、１６６Ｃと、左側ガイド部基底面１６１Ａ、１６１Ｂ、１６１Ｃと、左側ガイド部傾斜面１６２Ａ、１６２Ｂ、１６２Ｃとを備えている。
【００９１】
コ字状壁部１６６Ａ、１６６Ｂ、１６６Ｃは、端末載置部１１０Ａ、１１０Ｂ、１１０Ｃに載置された携帯端末装置の左端部を取り囲むように上方に突出している。左側ガイド部基底面１６１Ａ、１６１Ｂ、１６１Ｃは、コ字状壁部１６６Ａ、１６６Ｂ、１６６Ｃの内側にて左側天面部稜線１４１の高さよりも高い高さである。左側ガイド部傾斜面１６２Ａ、１６２Ｂ、１６２Ｃは、左側ガイド部基底面１６１Ａ、１６１Ｂ、１６１Ｃから左側天面部１４０まで下がりながら延在している。
【００９２】
右側ガイド部１７０Ａ、１７０Ｂ、１７０Ｃは、コ字状壁部１７６Ａ、１７６Ｂ、１７６Ｃと、右側ガイド部基底面１７１Ａ、１７１Ｂ、１７１Ｃと、右側ガイド部傾斜面１７２Ａ、１７２Ｂ、１７２Ｃとを備えている。
【００９３】
コ字状壁部１７６Ａ、１７６Ｂ、１７６Ｃは、端末載置部１１０Ａ、１１０Ｂ、１１０Ｃに載置された携帯端末装置の右端部を取り囲むように上方に突出している。右側ガイド部基底面１７１Ａ、１７１Ｂ、１７１Ｃは、コ字状壁部１７６Ａ、１７６Ｂ、１７６Ｃの内側にて右側天面部稜線１５１の高さよりも高い高さである。右側ガイド部傾斜面１７２Ａ、１７２Ｂ、１７２Ｃは、右側ガイド部基底面１７１Ａ、１７１Ｂ、１７１Ｃから右側天面部１５０まで下がりながら延在している。
【００９４】
以上の構成により、本充電台１００”は、充電端子およびその周囲をも含め、端末載置部１１０Ａ、１１０Ｂ、１１０Ｃに水等の液体が誤ってこぼされたとしても、液体は、高さが低い部位に向かって順次流れ、最終的に、左側天面部１４０の左側天面部傾斜面１４２上や右側天面部１５０の右側天面部傾斜面１５２上を伝って充電台１００”の前端１００ｄｆ”や後端１００ｄｒ”から充電台の外に排出される。
【００９５】
尚、変形例をも含め、以上説明した実施形態においては、取付部傾斜面の水平面に対する傾斜角度は０．５度、左側天面部、右側天面部の水平面に対する傾斜角度は３度としているが、水等の液体を排出できるのであれば、取付部傾斜面の傾斜角度は０．５度以上もしくは０．５度未満であってもよいし、左側天面部、右側天面部の傾斜角度も３度以上もしくは３度未満であってもよい。
【符号の説明】
【００９６】
１００、１００’、１１０”  充電台
１００ｄｆ、１００ｄｆ’、１１０ｄｆ”  前端
１００ｄｒ、１００ｄｒ’、１１０ｄｒ”  後端
１１０Ａ、１１０Ｂ、１１０Ｃ  端末載置部
１２０Ａ、１２０Ｂ、１２０Ｃ  充電端子部
１２１Ａ、１２１Ｂ、１２１Ｃ  充電端子
１２２Ａ、１２２Ｂ、１２２Ｃ  ハウジング
１２３Ａ、１２３Ｂ、１２３Ｃ  端子部天面
１２４Ａ、１２４Ｂ、１２４Ｃ  ガイド凸部
１３０Ａ、１３０Ｂ、１３０Ｃ  端子取付部
１３１Ａ、１３１Ｂ、１３１Ｃ  取付部稜線
１３２Ａ、１３２Ｂ、１３２Ｃ  取付部傾斜面
１３５Ａ、１３５Ｂ、１３５Ｃ、１３５Ｄ  端子保護部
１４０    左側天面部
１４１    左側天面部稜線
１４２    左側天面部傾斜面
１５０    右側天面部
１５１    右側天面部稜線
１５２    右側天面部傾斜面
１６０Ａ、１６０Ｂ、１６０Ｃ  左側ガイド部
１６１Ａ、１６１Ｂ、１６１Ｃ  左側ガイド部基底面
１６２Ａ、１６２Ｂ、１６２Ｃ  左側ガイド部傾斜面
１６６Ａ、１６６Ｂ、１６６Ｃ  コ字状壁部
１７０Ａ、１７０Ｂ、１７０Ｃ  右側ガイド部
１７１Ａ、１７１Ｂ、１７１Ｃ  右側ガイド部基底面
１７２Ａ、１７２Ｂ、１７２Ｃ  右側ガイド部傾斜面
１７６Ａ、１７６Ｂ、１７６Ｃ  コ字状壁部
６００    充電台
６１０Ａ、６１０Ｂ  端末載置凹部
６２１Ａ、６２１Ｂ  充電端子
７００    携帯端末装置
７０１    フロントパネル
７０２    リアパネル
７０３    タッチパネル付きディスプレイ
７０６    被充電端子
７０７    端子隣接凹部
８００    充電ケーブル
【図１】
2017158346.tif 000003
【図２】
2017158346.tif 000004
【図３】
2017158346.tif 000005
【図４】
2017158346.tif 000006
【図５】
2017158346.tif 000007
【図６】
2017158346.tif 000008
【図７】
2017158346.tif 000009
【図８】
2017158346.tif 000010
【図９】
2017158346.tif 000011
【図１０】
2017158346.tif 000012
【図１１】
2017158346.tif 000013
【図１２】
2017158346.tif 000014
【図１３】
2017158346.tif 000015